(57)【要約】【課題】  スピーカーユニットの背面側にバックチャンバーを規定するハウジングを備えるヘッドホンに関し、ハウジングの内壁部に形成される第２孔部の形状を長くして安定化させ、再生音質に優れ、品質の安定したヘッドホンを提供する。【解決手段】  ヘッドホンは、スピーカーユニットと、収容したスピーカーユニットの音響放射側の背面側に設けられる内部空間、および、内部空間とは別に設けられる空気室を規定するハウジングと、を備え、ハウジングは、外部と空気室とを連通させる第１孔部が形成される第１ハウジング部材と、スピーカーユニットが取り付けられて第１ハウジング部材と連結されて内部空間および空気室を規定する第２ハウジング部材と、第１ハウジング部材と第２ハウジング部材とに挟持されて固定されるとともに空気室と内部空間とを連通させる第２孔部が形成される第３ハウジング部材と、を含む。【選択図】  図３
2018074341.tif 000002
【特許請求の範囲】
【請求項１】
スピーカーユニットと、収容した該スピーカーユニットの音響放射側の背面側に設けられる内部空間、および、該内部空間とは別に設けられる空気室を規定するハウジングと、を備え、
該ハウジングは、外部と該空気室とを連通させる第１孔部が形成される第１ハウジング部材と、該スピーカーユニットが取り付けられて該第１ハウジング部材と連結されて該内部空間および該空気室を規定する第２ハウジング部材と、該第１ハウジング部材と該第２ハウジング部材とに挟持されて固定されるとともに該空気室と該内部空間とを連通させる第２孔部が形成される第３ハウジング部材と、を含む、
ヘッドホン。
【請求項２】
前記第１ハウジング部材および前記第２ハウジング部材が、前記空気室と前記内部空間とを隔てる内壁部を規定し、
前記第３ハウジング部材が、該内壁部の厚み寸法ｔ２よりも一辺の長さが長い略立方体状の部材であり、該厚み寸法ｔ２よりも全長が長い貫通孔を規定する前記第２孔部を有する、
請求項１に記載のヘッドホン。
【請求項３】
前記第３ハウジング部材が、前記内壁部の切り欠き部が嵌合する溝部を有する、請求項２に記載のヘッドホン。
【請求項４】
前記ハウジングが、前記第１ハウジング部材と前記第２ハウジング部材とに挟持されて固定される第４ハウジング部材をさらに含み、該第１ハウジング部材に代えて該第４ハウジング部材に外部と前記空気室とを連通させる前記第１孔部が形成される
請求項１から３のいずれかに記載のヘッドホン。
【請求項５】
前記第１ハウジング部材および前記第２ハウジング部材が、前記外部と前記空気室とを隔てる外壁部を規定し、
前記第４ハウジング部材が、該外壁部の厚み寸法ｔ１よりも一辺の長さが長い略立方体状の部材であり、該厚み寸法ｔ１よりも全長が長い貫通孔を規定する前記第１孔部を有する、
請求項４に記載のヘッドホン。
【請求項６】
前記第４ハウジング部材が、前記外壁部の切り欠き部が嵌合する溝部を有する、請求項５に記載のヘッドホン。
【請求項７】
前記スピーカーユニットの音響放射側にて前記ハウジングに取り付けられる環状の耳接触部をさらに備え、前記ハウジングおよび該耳接触部が、リスナーの耳内と連通するとともに前記空気室及び前記内部空間を介して前記外部と連通する該耳接触部の内側の空間を規定する、
請求項１から６のいずれかに記載のヘッドホン。
【発明の詳細な説明】
【技術分野】
【０００１】
本発明は、ユーザーの耳に装着されて音声再生するヘッドホン並びにイヤホンに関し、特に、スピーカーユニットの背面側にバックチャンバーを規定するハウジングを備えるヘッドホンに関する。
【背景技術】
【０００２】
ヘッドホンは、スピーカーユニットと、スピーカーユニットの背面側を囲むハウジングと、スピーカーユニットの前面側に設けられる耳接触部を備えている。ここでいうヘッドホンは、左右一対のハウジングがヘッドバンドなどで連結されているものだけでなく、ユーザーの耳にハウジングを直接支持させるイヤホンタイプのものや、ハウジングがマイク装置を備える所謂ヘッドセットを含んでいる。
【０００３】
このようなヘッドホンは、ハウジングに孔を開けることでハウジング内の空間を外部と連通させたものが知られている。下記特許文献１には、音響変換器（スピーカーユニット）の構造を変えることなく、音響変換器の背面側の音響等価回路を変えることによって低音域におけるレスポンスを改善することを目的として、音響変換器が取り付けられた筐体（ハウジング）が音響変換器の後面より出る音を外部に放出するためのダクト部を具備するものが記載されている。
【０００４】
また、ヘッドホンでは、スピーカーユニットの背面側を囲むハウジングに孔などを開口し、ハウジング内の空間と外部を連通させた場合、外部の雑音がハウジング内の空間に入りやすくなり、振動板や音響フィルタなどの通気性を有するスピーカーユニットの構成部材を通過して、ハウジング内に入った雑音がリスナーの耳に届くことになる。この場合、リスナーはスピーカーユニットが発する音とともに外部の雑音を聴くことになるので、スピーカーユニットの再生音を明瞭に聴くことができない問題が生じる。
【０００５】
下記特許文献２のヘッドホンでは、このような問題に対処することを課題の一例として、スピーカーユニットの背面側を囲むハウジング内の空間を外部に連通させた場合に、外部からの雑音をリスナーが聞こえにくくすることができること、等を目的として、ハウジングに内部空間と、内部空間とは別の空気室とが設けられ、耳接触部の内側の空間がリスナーの耳内と連通するとともに空気室及び内部空間を介して外部と連通しており、空気室が前記ハウジングの互いに対向する外周壁部と内周壁部で形成され、外周壁部には外部と連通する第１の孔部が形成され、内周壁部にはハウジングの内部空間に連通する第２の孔部が形成され、第１の孔部と第２の孔部とは互いに対向しないようにハウジングの外周部に沿った異なる位置にあることを特徴とするヘッドホンが記載されている。
【０００６】
しかしながら、下記特許文献２のヘッドホンでは、ハウジング２の内周壁部に形成される第２の孔部（図３の図番号３５）が、内側壁部３２の厚み寸法よりも長い孔を形成し得ず、音響特性の設計に制限があるという問題がある。また、第２の孔部２ｂは、孔部の一部を凹状に形成されている連結部材２２および筐体部材２１を連結することで構成されているので、ハウジングを構成する部品寸法精度ならびにハウジングの組み立て寸法精度の問題から対向する凹同士の位置がずれてしまう場合があり、第２の孔部２ｂの開口寸法および長さが安定しにくいという問題がある。その結果、再生音質に優れ、品質の安定したヘッドホンを構成しにくいという問題がある。
【先行技術文献】
【特許文献】
【０００７】
【特許文献１】特開平７−１７０５９１号公報
【特許文献２】特許第５９０２２０２号公報
【発明の概要】
【発明が解決しようとする課題】
【０００８】
本発明は、上記の従来技術が有する問題を解決するためになされたものであり、その目的は、スピーカーユニットの背面側にバックチャンバーを規定するハウジングを備えるヘッドホンに関し、ハウジングの内壁部に形成される第２孔部の形状を長くして安定化させ、再生音質に優れ、品質の安定したヘッドホンを提供することにある。
【課題を解決するための手段】
【０００９】
本発明のヘッドホンは、スピーカーユニットと、収容したスピーカーユニットの音響放射側の背面側に設けられる内部空間、および、内部空間とは別に設けられる空気室を規定するハウジングと、を備え、ハウジングは、外部と空気室とを連通させる第１孔部が形成される第１ハウジング部材と、スピーカーユニットが取り付けられて第１ハウジング部材と連結されて内部空間および空気室を規定する第２ハウジング部材と、第１ハウジング部材と第２ハウジング部材とに挟持されて固定されるとともに空気室と内部空間とを連通させる第２孔部が形成される第３ハウジング部材と、を含む。
【００１０】
好ましくは、本発明のヘッドホンは、第１ハウジング部材および第２ハウジング部材が、空気室と内部空間とを隔てる内壁部を規定し、第３ハウジング部材が、内壁部の厚み寸法ｔ２よりも一辺の長さが長い略立方体状の部材であり、厚み寸法ｔ２よりも全長が長い貫通孔を規定する第２孔部を有する。
【００１１】
また、好ましくは、本発明のヘッドホンは、第３ハウジング部材が、内壁部の切り欠き部が嵌合する溝部を有する。
【００１２】
また、好ましくは、本発明のヘッドホンは  前記ハウジングが、第１ハウジング部材と第２ハウジング部材とに挟持されて固定される第４ハウジング部材をさらに含み、第１ハウジング部材に代えて第４ハウジング部材に外部と空気室とを連通させる第１孔部が形成される。
【００１３】
また、好ましくは、本発明のヘッドホンは、第１ハウジング部材および第２ハウジング部材が、外部と空気室とを隔てる外壁部を規定し、第４ハウジング部材が、外壁部の厚み寸法ｔ１よりも一辺の長さが長い略立方体状の部材であり、厚み寸法ｔ１よりも全長が長い貫通孔を規定する第１孔部を有する。
【００１４】
また、好ましくは、本発明のヘッドホンは、第４ハウジング部材が、外壁部の切り欠き部が嵌合する溝部を有する。
【００１５】
また、好ましくは、本発明のヘッドホンは、スピーカーユニットの音響放射側にてハウジングに取り付けられる環状の耳接触部をさらに備え、ハウジングおよび耳接触部が、リスナーの耳内と連通するとともに空気室及び内部空間を介して外部と連通する耳接触部の内側の空間を規定する。
【００１６】
以下、本発明の作用について説明する。
【００１７】
本発明のヘッドホンは、スピーカーユニットと、収容したスピーカーユニットの音響放射側の背面側に設けられる内部空間、および、内部空間とは別に設けられる空気室を規定するハウジングと、を備える。ハウジングは、外部と空気室とを連通させる第１孔部が形成される第１ハウジング部材と、スピーカーユニットが取り付けられて第１ハウジング部材と連結されて内部空間および空気室を規定する第２ハウジング部材と、第１ハウジング部材と第２ハウジング部材とに挟持されて固定されるとともに空気室と内部空間とを連通させる第２孔部が形成される第３ハウジング部材と、を含む。したがって、スピーカーユニットの背面側を囲むハウジング内の空間を外部に連通させることができる。
【００１８】
ここで、第３ハウジング部材は、好ましくは、空気室と内部空間とを隔てる内壁部の厚み寸法ｔ２よりも一辺の長さが長い略立方体状の部材であり、厚み寸法ｔ２よりも全長が長い貫通孔を規定する第２孔部を有する。第３ハウジング部材は、内壁部の切り欠き部が嵌合するようにして固定するのが好ましい。その結果、ハウジングを構成する部品寸法精度ならびにハウジングの組み立て寸法精度の問題から第２孔部の開口寸法および長さが安定しにくくなることを避けることができ、再生音質に優れ、品質の安定したヘッドホンを構成することができる。
【００１９】
ヘッドホンは、上記第３ハウジング部材と同様に、外部と空気室とを連通させる第１孔部を、第１ハウジング部材に代えて外壁部に形成する第４ハウジング部材を備えていても良い。第４ハウジング部材は、好ましくは、外部と空気室とを隔てる外壁部の厚み寸法ｔ１よりも一辺の長さが長い略立方体状の部材であり、厚み寸法ｔ１よりも全長が長い貫通孔を規定する第１孔部を有する。第４ハウジング部材は、外壁部の切り欠き部が嵌合するようにして固定するのが好ましい。第４ハウジング部材によって第１孔部の長さを長くできるようにして、その結果、再生音質に優れ、品質の安定したヘッドホンを構成することができる。
【発明の効果】
【００２０】
本発明のヘッドホンは、ハウジングの内壁部に形成される第２孔部の形状を長くして安定化させ、再生音質に優れ、品質の安定したヘッドホンを提供することができる。
【図面の簡単な説明】
【００２１】
【図１】本発明の一実施形態に係るヘッドホンの外観図である。
【図２】本発明の一実施形態に係るヘッドホンの具体的な構造を示した説明図である。
【図３】本発明の一実施形態に係るヘッドホンの具体的な構造を示した説明図である。
【図４】本発明の一実施形態に係るヘッドホンの具体的な構造を示した説明図である。
【図５】本発明の一実施形態に係るヘッドホンの音圧周波数特性を示すグラフである。
【発明を実施するための形態】
【００２２】
以下、本発明の好ましい実施形態によるヘッドホンについて説明するが、本発明はこれらの実施形態には限定されない。
【実施例１】
【００２３】
図１は、本発明の好ましい実施形態によるヘッドホン１について説明する図である。具体的には、図１は、ヘッドホン１の外観を示す斜視図である。なお、ヘッドホン１の形態は、本実施例の場合に限定されない。本発明の説明に不要な他のヘッドホン１の構成については、図示及び説明を省略する。
【００２４】
本実施例のヘッドホン１は、左右のヘッドホンユニット１Ａ、１Ｂと、これらヘッドホンユニット１Ａ、１Ｂを連結するヘッドバンド１Ｃを備えている。ヘッドホンユニット１Ａ、１Ｂは、スピーカーユニットを収容するハウジング２と耳接触部３をそれぞれ備えている。ヘッドバンド１Ｃはハンガー１Ｄとの連結部にそれぞれ接続されており、ハンガー１Ｄ、１Ｄは各ハウジング２、２に連結されている。
【００２５】
ヘッドホン１には、ハウジング２の側部に（図示しない後述する）複数の孔部２ａが設けられており、孔部２ａによってハウジング２の内部空間が耳接触部３の外側におけるハウジング２の外部と連通している。ヘッドホン１は、孔部２ａによってハウジング２の内部空間によるコンプライアンスを調整でき、コンプライアンスが調整されることによって周波数特性、特に低音域の周波数特性を調整することができる。
【００２６】
図２〜図４は、本発明の一実施形態に係るヘッドホン１の具体的な構造を示した説明図である。図２は、一方のヘッドホンユニット１Ａの内部構造を示した断面図である。図３は、ハウジング２における空気室の構成を示した拡大断面図である。また、図４は、ハウジング２の各部及び耳接触部３を分離した状態を示した説明図である。図４では、スピーカーユニット１０および耳接触部３を取り除いた状態のヘッドホンユニット１Ａの構成例を示している。
【００２７】
ヘッドホン１のヘッドホンユニット１Ａ、１Ｂは、前述したように、スピーカーユニット１０と、スピーカーユニット１０の少なくとも背面側を囲むハウジング２と、スピーカーユニット１０の前面側に設けられる耳接触部３を備えている。
【００２８】
スピーカーユニット１０は、振動板１１と、振動板１１に連結されるボイスコイルと、ボイスコイルが配置される磁気ギャップを有する磁気回路１３と、エッジを介して振動板１１の外周部を支持するフレーム１５を備えている。磁気回路１３は、フレーム１５に支持されるか、または後述する連結部材２２によって支持されている。磁気回路１３は、プレートと磁石とヨークを備えており、プレートとヨークの間に前述した磁気ギャップが形成されている。スピーカーユニット１０の構成はこれに限らず、磁石とヨークとの間に磁気ギャップを形成するなど、各種の周知な形態を採用することができる。
【００２９】
ハウジング２は、スピーカーユニット１０が連結される連結部材２２とスピーカーユニット１０の背面側を囲む筐体部材２１を備えている。筐体部材２１は、外周筒部２１Ｂと面部２１Ｃとを備える。連結部材２２は、スピーカーユニット１０を支持する支持部分２２Ａを備えている。支持部分２２Ａはハウジング２の内側に突出してスピーカーユニット１０のフレーム１５を支持している。筐体部材２１の外周筒部２１Ｂには、ハンガー１Ｄが回転自在に取り付けられている。
【００３０】
耳接触部３は、環状の弾性部材と弾性部材を覆う被覆部材とで構成されている。耳接触部３は、スピーカーユニット１０の音響放射側にてハウジング２に取り付けられている。耳接触部３はリスナーの耳に接触することで、ハウジング２の外部を耳接触部３の内側の空間（外部空間Ｓ１）と耳接触部３の外側における外部Ｓ２に区分けしている。耳接触部３の内側におけるハウジング２の外部空間Ｓ１はリスナーの耳内と連通する空間である。耳接触部３の外側におけるハウジング２の外部Ｓ２は、耳接触部３によって耳内の空間と区分けされている。
【００３１】
ヘッドホンユニット１Ａ（１Ｂ）においては、ハウジング２の内部空間２Ｓは、耳接触部３の内側におけるハウジング２の外部空間Ｓ１と連通している。具体的には、内部空間２Ｓは、ハウジング２を構成する筐体部材２１とスピーカーユニット１０が連結される連結部材２２と、後述する孔形成部材２３とを含んで構成されている。ハウジング２の内部空間２Ｓは、ハウジング２の連結部材２２が備える開口部２２Ｄを介して、耳接触部３の内側におけるハウジング２の外部空間Ｓ１と連通している。また、スピーカーユニット１０が通気性を有する振動板１１等の構成部材を有する場合には、この通気性を有する構成部材を介して、ハウジング２の内部空間２Ｓは耳接触部３の内側におけるハウジング２の外部空間Ｓ１と連通している。なお、開口部２２Ｄは不織布などの通気性を有する部材で覆われていても構わない。
【００３２】
ハウジング２には、ハウジング２の内部空間２Ｓとは別に空気室３０が設けられている。この空気室３０は、ハウジング２の内側又はハウジングの外側に設けられていても構わない。例えば、ハウジング２の外部側におけるハウジング２の外周側面、ハウジング２の内部空間側におけるハウジング２の内周側面、又はハウジング２を構成する部材の内部に空気室が設けられている場合などが挙げられる。ハウジング２の内部空間２Ｓは、空気室３０を介して耳接触部３の外側におけるハウジング２の外部Ｓ２と連通している。本実施形態における空気室３０は、ハウジング２の構成部材で形成されている。
【００３３】
すなわち、空気室３０は、ハウジング２を構成する筐体部材２１とスピーカーユニット１０が連結される連結部材２２と、後述する孔形成部材２３とで構成されている。ハウジング２の内部空間２Ｓは前述した空気室３０を第１の空気室として、ハウジング２の内部空間２Ｓを第２の空気室として備える。筐体部材２１および連結部材２２は、内部空間２Ｓと空気室３０とを隔てる内壁部３２を規定する。
【００３４】
ハウジング２は、壁部（側部）において、壁部の一部が２重構造を備えており、外側壁部３１と内側壁部３２を備えている。空気室（第１の空気室）３０は、耳接触部３の外側におけるハウジング２の外部Ｓ２に対面する外側壁部３１とハウジング２の内部空間２Ｓに対面する内側壁部３２の間に配置されている。外側壁部３１は、第１の孔部２ａを備え、図示の例ではハウジング２の外周側面である外周筒部２１Ｂに設けられている。内側壁部３２は、第２孔部２ｂが形成される孔形成部材２３を備える。
【００３５】
孔形成部材２３は、この内壁部３２の厚み寸法ｔ２よりも一辺の長さが長い略立方体状の部材であり、筐体部材２１と連結部材２２とに挟持されて内壁部に固定される。本実施例では、孔形成部材２３は、幅１５．０ｍｍ、奥行き１０．０ｍ、高さ７．０ｍｍのブロック状の部材であり、奥行き方向に内部空間２Ｓと空気室３０とを連通させる第２孔部２ｂが形成される。したがって、第２孔部２ｂは、内壁部３２のみ寸法ｔ２よりも全長が長い貫通孔を形成することができる。
【００３６】
孔形成部材２３の第２孔部２ｂの長さを長くすることができると、ハウジング２の内部空間２Ｓおよび空気質３０によるコンプライアンスを調整でき、コンプライアンスが調整されることによって周波数特性、特に低音域の周波数特性を調整することができる。本実施例の孔形成部材２３には、３つの第２孔部２ｂが形成されている。孔形成部材２３は、略立方体状の部材であるので、第２孔部２ｂを複数設けてその数を調整することにより、コンプライアンスの調整ができるようになる。
【００３７】
ハウジング２の筐体部材２１と連結部材２２には、孔形成部材２３が嵌合する切り欠き部２４が設けられて、孔形成部材２３にもこの切り欠き部と嵌合する溝部が設けられる。孔形成部材２３を内壁部３２に強固に取り付けることができ、第２孔部２ｂの開口寸法および長さが安定しにくくなることを避けることができる。
【００３８】
図示の例では、ハウジング２は、連結部材２２の構成部材と筐体部材２１の構成部材を接続して構成されている。空気室（第１の空気室）３０は、連結部材２２と筐体部材２１の接続位置の近傍に設けられる。詳細には、ハウジング２の径方向における、連結部材２２と筐体部材２１の接続位置に設けられている。また、空気室３０は、連結部材２２の一部と筐体部材２１に一部とで構成される、又は連結部材２２全体と筐体部材２１全体とで構成されていても構わない。
【００３９】
連結部材２２は、スピーカーユニット１０をハウジング２に支持する支持部分２２Ａと、スピーカーユニット１０の音響放射面に対向した保護部分２２Ｂとを備えている。保護部分２２Ｂには、スピーカーユニット１０の振動板１１が露出する開口部２２Ｃが規定される。支持部分２２Ａおよび保護部分２２Ｂはそれぞれ開口部２２Ｄを有する。開口部２２Ｄは、ハウジング２の内部空間２Ｓと外部空間Ｓ１とを連通させている。
【００４０】
図示の例では、連結部材２２には、空気室３０の一部が形成されている。連結部材２２は内側壁部３２が内部空間２Ｓ側に設けられている。ハウジング２側における内側壁部３２には、孔形成部材２３が筐体部材２１と連結部材２２とに挟持されて内壁部３２に固定される切り欠き部２４が設けられる。空気室３０の一部は、連結部材２２の外周部に沿って形成されている。図示の例では、空気室３０の一部が連結部材２２に２箇所形成されている。
【００４１】
連結部材２２の支持部分２２Ａは、スピーカーユニット１０を支持しつつ、スピーカーユニット１０の外周部と内側壁部３２との間に設けられている。また、連結部材２２の支持部分２２Ａは耳接触部３に対面する側に配置されている。また、耳接触部３と支持部分２２Ａとの間には間隙２２Ｄが設けられている。ハウジング２の内部空間２Ｓ（第２の空気室）は、間隙２２Ｄと支持部分２２Ａの開口部２２Ｄを介して、耳接触部３の内側におけるハウジング２の外部空間Ｓ１と連通する。このような間隙２２Ｄを設けることで、連結部材２２の支持部分２２Ａが耳接触部３に覆われていても、第２の空気室（内部空間２Ｓ）と耳接触部３の内側におけるハウジング２の外部空間Ｓ１とを連通させることができ、低音域での音響特性を改善することができる。
【００４２】
一方、空気室３０（第１の空気室）は、ハウジング２の内部空間２Ｓからハウジング２の外部Ｓ２に向かう方向（径方向Ｒ）において、支持部分２２Ａの開口部２２Ｃに対してハウジング２の外部側に設けられている。空気室３０をスピーカーユニット１０に対してハウジング２の外部側に設けることで、ハウジング２側の空間を省スペース化でき、スピーカーユニット１０をできるだけ大型化することができる。
【００４３】
ヘッドホン１は、空気室３０を第１の空気室とすると、内側壁部３２とスピーカーユニット１０との間には、第２の空気室（内部空間２Ｓ）が設けられている。この第２の空気室（内部空間２Ｓ）は、第１の空気室（空気室３０）を介して耳接触部３の外側におけるハウジング２の外部Ｓ１と連通している。また、第２の空気室（内部空間２Ｓ）は、連結部材２２の開口部２２Ｄ又はスピーカーユニット１０の通気性を有する構成部材を介して耳接触部３の内側におけるハウジング２の外部空間Ｓ１と連通している。
【００４４】
図示の形態例では、空気室３０は、ハウジング２の外周部に沿って延在している。空気室３０から耳接触部３の外側におけるハウジング２の外部Ｓ２に連通する第１の孔部２ａの位置と、空気室３０からハウジング２の内部空間２Ｓ（第２の空気室）内に連通する第２の孔部２ｂの位置とが対向しないように、第１の孔部２ａと第２の孔部２ｂの位置はハウジング２の外周部に沿って異なっているのが好ましい。これによると、耳接触部３の外側におけるハウジング２の外部Ｓ２からハウジング２内に入り込む雑音は、空気室３０の壁部に反射して、雑音の音波としての伝播経路は屈折される。すなわち、雑音が空気室３０内での反射等によってハウジング２の内部空間２Ｓ（第２の空気室）内へ侵入することを抑制することができる。
【００４５】
このような形態例を備えるヘッドホン１は、ハウジング２の内部空間２Ｓを耳接触部３の外側におけるハウジング２の外部Ｓ２と連通させていることで、スピーカーユニット１０に対するハウジング２側における空間の大きさを実質的に拡大させることができ、スピーカーユニット１０の低音域特性を改善することが可能になる。その際に、耳接触部３の外側におけるハウジング２の外部Ｓ２からハウジング２の内部空間内に雑音が入り込むが、雑音の伝播経路上における、耳接触部３の外側におけるハウジング２の外部Ｓ２とハウジング２の内部空間との間に第１の空気室（空気室３０）を設けることで、耳接触部３の内側におけるハウジング２の外部空間Ｓ１に伝播する雑音を低減させることができる。これによって、ヘッドホン１の遮音性を向上させることができる。
【００４６】
なお、ヘッドホン１において、ハウジング２は、筐体部材２１と連結部材２２とに挟持されて固定される（図示しない）孔形成部材により第１孔部２ａを形成するようにしてもよい。この孔形成部材をハウジング２の筐体部材２１の外部と空気室とを隔てる外壁部３１に設けることで、第１孔部２ａを形成することができる。孔形成材部は、外壁部３１の厚み寸法ｔ１よりも一辺の長さが長い略立方体状の部材にすることができる。孔形成材部は、筐体部材２１と連結部材２２とに挟持されて外壁部３１に固定されるように構成するのが好ましい。筐体部材２１と連結部材２２には、この孔形成部が嵌合する切り欠き部２４が設けられて、孔形成部材２３にもこの切り欠き部と嵌合する溝部が設けられればよい。孔形成部材には、外部空間Ｓ２と空気室３０とを連通させる外壁部３１の寸法ｔ１よりも全長が長い貫通孔である第１孔部２ａが形成される。
【００４７】
図５は、ヘッドホン１の音圧周波数特性を示すグラフである。具体的には、ヘッドホン１のハウジング２を構成する孔形成部材２３を、内部空間２Ｓと空気室３０とを連通させる第２孔部２ｂの長さを変えた場合の音圧周波数特性の変化を示すグラフである。ハウジング２の内壁部３２の寸法ｔ２が、約２．０ｍｍであるのに対して、第２孔部２ｂの長さをそれぞれ寸法ｔ２よりも長い１０ｍｍ、１５ｍｍ、２０ｍｍに変更した場合である。上記の様に、孔形成部材２３は内壁部３２の厚み寸法ｔ２よりも一辺の長さが長い略立方体状の部材であり、内壁部３２の切り欠き部２４に対応する溝を有する。したがって、ヘッドホン１は、孔形成部材２３を容易に交換して、最適な音圧周波数特性を得ることができる。
【００４８】
孔形成部材２３の第２孔部２ｂの長さを長くすれば、音圧周波数特性におけるピーク・ディップのレベル差を小さくすることができる。また、孔形成部材２３として内壁部３２の厚み寸法ｔ２よりも一辺の長さが長い略立方体状の部材を使用するので、その結果、ハウジング２を構成する部品寸法精度ならびにハウジングの組み立て寸法精度の問題から第２孔部２ｂの開口寸法および長さが安定しにくくなることを避けることができ、再生音質に優れ、品質の安定したヘッドホン１を構成することができる。
【００４９】
図１では、ステレオ再生に対応するヘッドホン１のコードおよびプラグ部は図示を省略されている。ヘッドホン１は、音声信号を供給するコードおよびプラグ部を備えない無線信号を受信する受信部を備えるワイヤレスヘッドホンであってもよい。
【産業上の利用可能性】
【００５０】
本発明のヘッドホンは、図示するようなオーバーヘッドタイプのヘッドホンに限らず、さらに別の耳掛け部を備えるヘッドホンであってもよい。また、ヘッドホンに限らず、イヤホン、カナル型のイヤホン等にも適用が可能である。また、本発明のヘッドホン並びにイヤホンは、家庭用のステレオ再生、もしくはマルチチャンネルサラウンド再生に限られず、車載用のオーディオ機器や、映画館等の音響再生設備にも適用が可能である。
【符号の説明】
【００５１】
１            ヘッドホン
２            ハウジング
２１          筐体部材
２２          連結部材
２３          孔形成部材
３            耳接触部
１０          スピーカーユニット
【図１】
2018074341.tif 000003
【図２】
2018074341.tif 000004
【図３】
2018074341.tif 000005
【図４】
2018074341.tif 000006
【図５】
2018074341.tif 000007